(57)【要約】【課題】  種々の製紙上の要求を満たす経糸縫合された製紙用織物を提供する。【解決手段】  製紙用織物は一連の繰返しユニットを含み、各ユニットが、１組のトップ側ＭＤヤーン１１〜１３と、該トップ側ＭＤヤーンと織り合わされる１組のトップ側ＣＭＤヤーン３１〜４２と、第１組の複数対のボトム側ＭＤヤーン５１ａ，５１ｂ〜５３ａ，５３ｂと、第２組のボトム側ＭＤヤーン６１〜６３と、前記第１、第２組のボトム側ＭＤヤーンと織り合わせられる１組のボトム側ＣＭＤヤーン７１〜７６と、前記トップ側及びボトム側ＣＭＤヤーンと織り合わせられる１組の複数対のＭＤ縫合ヤーン２１ａ，２１ｂ〜２３ａ，２３ｂとを含んでいる。各対のＭＤ縫合ヤーンが前記第２組の、直ぐ近傍の各ボトム側ＭＤヤーンを挟み、前記第１組のボトム側ＭＤヤーンの一対のヤーンの各々が同じパターンで前記ボトム側ＣＭＤヤーンと織り合わせられている。【選択図】  図２
2007092268.tif 000002
【特許請求の範囲】
【請求項１】
一連の繰返しユニットから構成される製紙用織物であって、各繰返しユニットが、
１組のトップ側マシン方向（ＭＤ）ヤーンと、
該１組のトップ側ＭＤヤーンと織り合わされる１組のトップ側マシン横断方向（ＣＭＤ）ヤーンと、
複数対になって配列された第１組のボトム側ＭＤヤーンと、
単一ヤーンとして配列された第２組のボトム側ＭＤヤーンと、
前記第１組及び第２組のボトム側ＭＤヤーンと織り合わせられる１組のボトム側ＣＭＤヤーンと、
前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含み、
前記第１組のボトム側ＭＤヤーンの一対のヤーンの各々が同じパターンで前記ボトム側ＣＭＤヤーンと織り合わせられている、製紙用織物。
【請求項２】
前記第１組のボトム側ＭＤヤーンのうちの複数のヤーンは、個々のボトム側ＣＭＤヤーンの下に節部を形成している、請求項１に記載の製紙用織物。
【請求項３】
前記第１組のボトム側ＭＤヤーンのうちの複数のヤーンは、ボトム側ＣＭＤヤーンの下に形成された節部と節部との間にある２〜４本のボトム側ＣＭＤヤーンの間の上を通っている、請求項２に記載の製紙用織物。
【請求項４】
前記第２組のボトム側ＭＤヤーンのうちの複数のヤーンは、個々のボトム側ＣＭＤヤーンの下に節部を形成している、請求項１に記載の製紙用織物。
【請求項５】
前記第１組のボトム側ＭＤヤーンのうちの複数のヤーンは、個々のボトム側ＣＭＤヤーンの下に節部を形成している、請求項４に記載の製紙用織物。
【請求項６】
前記第２組のボトム側ＭＤヤーンのうちの複数のヤーンは、ボトム側ＣＭＤヤーンの下に形成された節部と節部との間にある２〜４本のボトム側ＣＭＤヤーンの間の上を通っている、請求項４に記載の製紙用織物。
【請求項７】
各縫合ヤーンは１本のボトム側ＣＭＤヤーンの下に節部を形成している、請求項４に記載の製紙用織物。
【請求項８】
前記各縫合ヤーンの節部が下に形成される前記ボトム側ＣＭＤヤーンの下に、前記第２組の直ぐ近傍のボトム側ＣＭＤヤーンが節部を形成している、請求項７に記載の製紙用織物。
【請求項９】
前記トップ側ＭＤヤーン、前記縫合ヤーン及び前記トップ側ＣＭＤヤーンが織り合わせられて平織りの製紙表面を形成している、請求項１に記載の製紙用織物。
【請求項１０】
一連の繰返しユニットから構成されており、該繰返しユニットの各々が、
１組のトップ側マシン方向（ＭＤ）ヤーンと、
該１組のトップ側ＭＤヤーンと織り合わされる１組のトップ側マシン横断方向（ＣＭＤ）ヤーンと、
複数対になって配列された第１組のボトム側ＭＤヤーンと、
単一ヤーンとして配列された第２組のボトム側ＭＤヤーンと、
前記第１組及び第２組のボトム側ＭＤヤーンと織り合わせられる１組のボトム側ＣＭＤヤーンと、
前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含んでおり、
前記第１組のボトム側ＭＤヤーンの一対のヤーンの各々が同じパターンで前記ボトム側ＣＭＤヤーンと織り合わせられており、
前記第１組のボトム側ＭＤヤーンの各対が１本のトップ側ＭＤヤーンの下に位置している、製紙用織物。
【請求項１１】
前記第１組のボトム側ＭＤヤーンのうちの複数のヤーンは、個々のボトム側ＣＭＤヤーンの下に節部を形成している、請求項１０に記載の製紙用織物。
【請求項１２】
前記第１組のボトム側ＭＤヤーンのうちの複数のヤーンは、ボトム側ＣＭＤヤーンの下に形成された節部と節部との間にある２〜４本のボトム側ＣＭＤヤーンの間の上を通っている、請求項１１に記載の製紙用織物。
【請求項１３】
前記第２組のボトム側ＭＤヤーンのうちの複数のヤーンは、個々のボトム側ＣＭＤヤーンの下に節部を形成している、請求項１０に記載の製紙用織物。
【請求項１４】
前記第１組のボトム側ＭＤヤーンのうちの複数のヤーンは、個々のボトム側ＣＭＤヤーンの下に節部を形成している、請求項１３に記載の製紙用織物。
【請求項１５】
前記第２組のボトム側ＭＤヤーンのうちの複数のヤーンは、ボトム側ＣＭＤヤーンの下に形成された節部と節部との間にある２〜４本のボトム側ＣＭＤヤーンの間の上を通っている、請求項１３に記載の製紙用織物。
【請求項１６】
各縫合ヤーンは１本のボトム側ＣＭＤヤーンの下に節部を形成している、請求項１３に記載の製紙用織物。
【請求項１７】
前記各縫合ヤーンの節部が下に形成される前記ボトム側ＣＭＤヤーンの下に、前記第２組の直ぐ近傍のボトム側ＣＭＤヤーンが節部を形成している、請求項１６に記載の製紙用織物。
【請求項１８】
前記トップ側ＭＤヤーン、前記縫合ヤーン及び前記トップ側ＣＭＤヤーンが織り合わせられて平織りの製紙表面を形成している、請求項１０に記載の製紙用織物。
【請求項１９】
一連の繰返しユニットから構成されており、該繰返しユニットの各々が、
１組のトップ側マシン方向（ＭＤ）ヤーンと、
該１組のトップ側ＭＤヤーンと織り合わされる１組のトップ側マシン横断方向（ＣＭＤ）ヤーンと、
第１組のボトム側ＭＤヤーンであって、各ヤーンが平坦にされた横断面を有している前記第１組のボトム側ＭＤヤーンと、
単一ヤーンとして配列された第２組のボトム側ＭＤヤーンと、
前記第１組及び第２組のボトム側ＭＤヤーンと織り合わせられる１組のボトム側ＣＭＤヤーンと、
前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含んでいる、製紙用織物。
【請求項２０】
紙を製造する方法であって、
（ａ）  一連の繰返しユニットから構成されており、該繰返しユニットの各々が、
１組のトップ側マシン方向（ＭＤ）ヤーンと、
該１組のトップ側ＭＤヤーンと織り合わされる１組のトップ側マシン横断方向（ＣＭＤ）ヤーンと、
複数対になって配列された第１組のボトム側ＭＤヤーンと、
単一ヤーンとして配列された第２組のボトム側ＭＤヤーンと、
前記第１組及び第２組のボトム側ＭＤヤーンと織り合わせられる１組のボトム側ＣＭＤヤーンと、
前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含み、
前記第１組のボトム側ＭＤヤーンの一対のヤーンの各々が同じパターンで前記ボトム側ＣＭＤヤーンと織り合わせられている、製紙用織物を用意するステップと、
（ｂ）  紙原料を前記製紙用織物上に供給するステップと、
（ｃ）  前記紙原料から水分を除去するステップと、
を含んでいる、紙を製造する方法。
【請求項２１】
前記第１組のボトム側ＭＤヤーンの各対は１本のトップ側ＭＤヤーンの下に位置している、請求項２０に記載の方法。
【発明の詳細な説明】
【技術分野】
【０００１】
本発明は、総括的には製紙に関し、特に、製紙に用いられる織物に関するものである。
【背景技術】
【０００２】
通常の長網式製紙工程において、（紙「原料」として知られる）セルロース繊維の水スラリーもしくは懸濁液は、２つ以上のローラ間を走行する織った金網及び／又は合成材料製のエンドレスベルトの上側走行部の表面上に送り込まれる。「地合構成織物」としばしば呼ばれるこのベルトは、その上側走行部の上面にある製紙表面を提供しており、該製紙表面は、紙原料のセルロース繊維を水性媒体から分離して湿った紙ウェブを形成するフィルタとして作用している。この水性媒体は、重力により、或いは、地合構成織物の上側走行部（即ち、「マシン側」）の下側表面に接触配置される吸引装置により、水切り穴として知られる地合構成織物の網目から排水されることになる。
【０００３】
地合構成部を去った後、紙ウェブは、抄紙機のプレス部に搬送され、同プレス部において、「圧搾フェルト」と通常呼ばれる別の織物で覆われた１対以上のプレスローラのニップに通される。当該プレスローラからの圧力によって紙ウェブから更に水分が除去され、この水分除去は、圧搾フェルトにある「バット（butt）」層の存在によりしばしば促進されることになる。その後、紙は更なる水分除去のために乾燥部に運ばれる。乾燥後の紙は、二次処理及び包装の準備ができている。
【０００４】
ここで使用されている「マシン方向（ＭＤ＝machine direction)」及び「マシン横断方向(ＣＭＤ＝cross machine direction）」という用語は、それぞれ、抄紙機上での製紙業者用織物の走行方向と整列した方向、並びに織物表面に平行でありかつ走行方向を横切る方向を指している。同様に、織物におけるヤーンの上下関係に対する方向上の言及（例えば、上方、下方、トップ、ボトム、直下等）は、織物の製紙表面が織物のトップ側であり、織物のマシン側表面は織物のボトム側であることを前提としている。
【０００５】
通常、製紙業者用の織物は、２種ある基本的な製織技術の１つによりエンドレスベルトとして製造されている。これら製織技術のうち第１の技術では、平坦に織る製織法により織物を平らに織って、それらの端部を接続してエンドレスベルトに形成するが、接続は、多数の既知接続方法のうちの任意の１つにより、例えば、端部をバラして再び互いに織り合わせる（通常、切継ぎとして知られている）ことにより、或いは、各端部に又は特別の折返し部にピン縫合可能のフラップを縫い付け、その後これらをピン縫合可能のループに再び織り込むことにより行われる。現在では多数の自動接続機械が市販されており、これらの自動接続機械は、特定の織物について、接続プロセスの少なくとも一部を自動化するのに使用され得るものである。平織りの製紙業者用織物においては、経糸はマシン方向に延び、緯糸はマシン横断方向に延びている。
【０００６】
第２の基本的製織技術において、織物は、エンドレス製織法により連続ベルトの形に直接に織られている。このエンドレス製織法では、経糸はマシン横断方向に延び、緯糸はマシン方向に延びている。上述した製織法は双方とも技術的によく知られており、また、ここで使用されている「エンドレスベルト」という用語はいずれの方法により製作されたベルトをも指している。
【０００７】
効果的にシート及び繊維を支持することは、特に、湿ったウェブが先ず形成される抄紙機の地合構成部にとって、製紙を行う際の重要問題である。また、地合構成織物は、それらが抄紙機において高速で走行するときに良好な安定性を示すべきであると共に、ウェブが抄紙機のプレス部に運ばれるときに同ウェブに残留している水の量を減らすために高い透水性を有していることが好ましい。ティッシュペーパー及び上質紙の双方への適用の場合（即ち、上質印刷，カーボン付着，タバコ，電気コンデンサー等に使用する紙）、製紙表面は、非常に細かく織った、或いは細かい網目の構造から構成されている。
【０００８】
一般的に、上質紙及びティッシュペーパーへの適用の際に使用されるもののように細かく織られた織物は、少なくともある程度相対的に小径のマシン方向ヤーン又はマシン横断方向ヤーンを含んでいる。しかし、残念ながら、このようなヤーンは損傷を受け易く、織物としての表面寿命が短くなってしまう。更に、小径のヤーンを使用することにより織物の機械的安定性にも悪影響が与えられ(特に、斜め方向の抵抗，括れ(narrowing)傾向及び剛性）、これは織物の供用寿命及び特性の双方に負の影響を与える可能性がある。
【０００９】
細かく織る地合構成織物に関連したこれらの問題に取り組むため、紙の形成を容易にすべく紙形成表面上に細かい目のヤーンを有すると共に、強度及び耐用性を与えるべくマシン接触側に粗い目のヤーンを有する多層の地合構成織物が開発されてきた。例えば、１組のマシン方向ヤーンを用いてこれを２組のマシン横断方向ヤーンと織り合わせて、細かい紙形成表面とより耐性のあるマシン側表面とを有する地合構成織物を形成するような、様々な地合構成織物が製作されてきた。これらの地合構成織物は、「二層織物」と一般的に呼ばれる種類の地合構成織物の一部である。同様に、２組のマシン方向ヤーン及び２組のマシン横断方向ヤーンを含み、これらにより細かい目の紙側織物層と別個の粗いマシン側織物層とを形成するような、様々な地合構成織物が製作されてきた。「三層織物」と一般的に呼ばれる種類の地合構成織物の一部であるこれらの地合構成織物において、２つの織物層が別々の縫合ヤーンにより一緒に結合されるのが典型的である。しかしながら、これら織物層は、１組以上のボトム側及びトップ側マシン横断方向ヤーン並びにマシン方向ヤーンからのヤーンを使用して一緒に結合されることも可能である。二層及び三層織物は、単層織物と比較して追加のヤーン組を含んでいるので、これらの地合構成織物は、匹敵する単層織物よりも大きな「厚さ(caliper)」を有する(即ち、それらは単層織物よりも厚い）のが典型的である。二層織物の例は、特許文献１に示されており、三層織物の例は、特許文献２、特許文献３、特許文献４、特許文献５及び特許文献６に示されている。
【００１０】
特許文献７及び特許文献８は、経糸縫合された（warp-stitched)多層地合構成織物の多くの例について記載している。場合によっては、かかる織物は、緯糸縫合された地合構成織物よりも製造が容易であるかも知れず、及び／又は望ましい性能特性を有することがある。しかしながら、ありとあらゆる製紙上の要求を満たす更なる形式の経糸縫合された織物の需要が依然として存在している。
【００１１】
【特許文献１】米国特許第４,４２３,７５５号明細書
【特許文献２】米国特許第４,５０１,３０３号明細書
【特許文献３】米国特許第５,１５２,３２６号明細書
【特許文献４】米国特許第５,４３７,３１５号明細書
【特許文献５】米国特許第５,９６７,１９５号明細書
【特許文献６】米国特許第６,７４５,７９７号明細書
【特許文献７】米国特許第６,８９６,００９号明細書
【特許文献８】米国特許出願第１１/２０７,２７７号明細書
【発明の開示】
【００１２】
第１の形態として、本発明の実施形態は、一連の繰返しユニットから構成されており、該繰返しユニットの各々が、１組のトップ側ＭＤヤーンと、該１組のトップ側ＭＤヤーンと織り合わされる１組のトップ側ＣＭＤヤーンと、複数対になって配列された第１組のボトム側ＭＤヤーンと、単一ヤーンとして配列された第２組のボトム側ＭＤヤーンと、前記第１組及び第２組のボトム側ＭＤヤーンと織り合わせられる１組のボトム側ＣＭＤヤーンと、前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含んでいる、製紙用織物に向けられている。前記第１組のボトム側ＭＤヤーンの一対のヤーンの各々は、同じパターンで前記ボトム側ＣＭＤヤーンと織り合わせられている。
【００１３】
第２の形態として、本発明の実施形態は、一連の繰返しユニットから構成されており、該繰返しユニットの各々が、１組のトップ側マシン方向（ＭＤ）ヤーンと、該１組のトップ側ＭＤヤーンと織り合わされる１組のトップ側マシン横断方向（ＣＭＤ）ヤーンと、複数対になって配列された第１組のボトム側ＭＤヤーンと、単一ヤーンとして配列された第２組のボトム側ＭＤヤーンと、前記第１組及び第２組のボトム側ＭＤヤーンと織り合わせられる１組のボトム側ＣＭＤヤーンと、前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含んでいる、製紙用織物に向けられている。前記第１組のボトム側ＭＤヤーンの一対のヤーンの各々が同じパターンで前記ボトム側ＣＭＤヤーンと織り合わせられている。また、前記第１組のボトム側ＭＤヤーンの各対は、１本のトップ側ＭＤヤーンの下に位置している。
【００１４】
第３の形態として、本発明の実施形態は、一連の繰返しユニットから構成されており、該繰返しユニットの各々が、１組のトップ側マシン方向（ＭＤ）ヤーンと、該１組のトップ側ＭＤヤーンと織り合わされる１組のトップ側マシン横断方向（ＣＭＤ）ヤーンと、第１組のボトム側ＭＤヤーンであって、各ヤーンが平坦にされた横断面を有している前記第１組のボトム側ＭＤヤーンと、単一ヤーンとして配列された第２組のボトム側ＭＤヤーンと、前記第１組及び第２組のボトム側ＭＤヤーンと織り合わせられる１組のボトム側ＣＭＤヤーンと、前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含んでいる、製紙用織物に向けられている。
【００１５】
第４の形態として、本発明の実施形態は、紙を製造する方法であって、（ａ）一連の繰返しユニットから構成されており、該繰返しユニットの各々が、１組のトップ側マシン方向（ＭＤ）ヤーンと、該１組のトップ側ＭＤヤーンと織り合わされる１組のトップ側マシン横断方向（ＣＭＤ）ヤーンと、複数対になって配列された第１組のボトム側ＭＤヤーンと、単一ヤーンとして配列された第２組のボトム側ＭＤヤーンと、前記第１組及び第２組のボトム側ＭＤヤーンと織り合わせられる１組のボトム側ＣＭＤヤーンと、前記トップ側ＣＭＤヤーン及び前記ボトム側ＣＭＤヤーンと織り合わせられる１組の複数対のＭＤ縫合ヤーンであって、各対のＭＤ縫合ヤーンが前記第２組の、直ぐ近傍の各ボトム側ＭＤヤーンを挟んでいる、前記１組の複数対のＭＤ縫合ヤーンとを含み、前記第１組のボトム側ＭＤヤーンの一対のヤーンの各々が同じパターンで前記ボトム側ＣＭＤヤーンと織り合わせられている、製紙用織物を用意するステップと、（ｂ）紙原料を前記製紙用織物上に供給するステップと、（ｃ）前記紙原料から水分を除去するステップとを含む、紙を製造する方法に向けられている。
【発明を実施するための最良の形態】
【００１６】
次に、添付図面を参照して本発明についてより具体的に説明する。本発明は、ここに記載した実施形態に限定されると考えるべきではない。むしろ、これらの実施形態は、開示が本発明の範囲を当業者に十分に伝えられるように提供されている。図面において、同様の符号は全体を通じて同様の要素を示している。特定要素の厚さ及び寸法は明瞭にするため誇張して示すことがある。
【００１７】
簡潔及び／又は明瞭にするため、既知の機能又は構成については詳細に説明しないことがある。
【００１８】
ここで使用されている表現「及び／又は」は、関連した掲載アイテムのうちの１つ以上の任意の組み合わせ及び全ての組み合わせを含んでいる。
【００１９】
ここで使用されている用語は、特定の実施形態を説明するためのみであり、本発明を限定するものではない。ここで使用されている用語は、文脈が明らかに複数形を指していなければ、単数形及び複数形の双方を含むものと考えられる。更に、「構成する」及び／又は「構成される」という用語は、この明細書で使用される場合、記載された特徴、ユニット、ステップ、作動、要素、及び／又は構成要素の存在を規定しており、１つ以上の他の特徴、ユニット、ステップ、作動、要素、構成要素及び／又はそれらのグループの存在又は追加を排除するものではないことが分かるであろう。
【００２０】
特に定義されていなければ、ここで使用されている全ての用語（技術用語及び科学用語を含め）は、本発明が属する技術分野に習熟する者により普通に理解されるのと同じ意味を有している。更に、普通に使用される諸辞典に定義されているような用語は、関連技術の状況下のそれらの意味に一致する意味を有するものと解釈されるべきであり、また、ここに明確に定義されていなければ、理想化された又は非常に形式的な意味で解釈されることはないであろう。
【００２１】
図面はそこに例示された織物の単一繰返しユニットを示すだけであるが、当業者は、商業的適用例では、図示の繰返しユニットがマシン方向及びマシン横断方向の双方に何回も繰り返されて抄紙機での使用に適する大きな織物を形成することが分かるであろう。
【００２２】
次に図１〜図３Ｆを参照すると、総括的に符号１０で表された本発明の実施形態による地合構成織物の繰返しユニットが例示されている。この繰返しユニット１０は、３本のトップ側ＭＤヤーン１１〜１３と、３対のＭＤ縫合ヤーン２１ａ，２１ｂ〜２３ａ，２３ｂと、１２本のトップ側ＣＭＤヤーン３１〜４２と、６対のボトム側ＭＤヤーン５１ａ，５１ｂ〜５３ａ，５３ｂと、３本の対になっていないボトム側ＭＤヤーン６１〜６３と、６本のボトム側ＣＭＤヤーン７１〜７６とを含んでいる。これらのヤーンの織り合わせについて以下に記載する。
【００２３】
図１及び図３Ｅから分かるように、トップ側ＭＤヤーン１１〜１３の各々は、「上１本／下１本」の順序でトップ側ＣＭＤヤーン３１〜４２と織り合わせられており、トップ側ＭＤヤーン１１〜１３は、奇数番号のトップ側ＣＭＤヤーン３１，３３，３５，３７，３９，４１の上及び偶数番号のトップ側ＣＭＤヤーン３２，３４，３６，３８，４０，４２の下を通っている。
【００２４】
図１から分かるように、各縫合ヤーン対２１ａ，２１ｂ〜２３ａ，２３ｂは、２本のトップ側ＭＤヤーンの間に位置している。図１、図３Ａ及び図３Ｃから分かるように、縫合ヤーン対２１ａ，２１ｂ〜２３ａ，２３ｂの各々は、織物１０のトップ側表面で平織りパターンを完成する場合に、一緒になって単一ヤーンとして機能している。具体的には、各縫合ヤーンは、「ａ」を付して表された縫合ヤーンが偶数番号を付けられた３本のトップ側ＣＭＤヤーンの上を通り、「ｂ」を付された各縫合ヤーンが偶数番号を付けられた残りの３本のトップ側ＣＭＤヤーンの上を通っている。例えば、縫合ヤーン２１ａは、トップ側ＣＭＤヤーン３６，３８，４０の上を通る一方でトップ側ＣＭＤヤーン３５，３７，３９，４１の下を通り、縫合ヤーン２１ｂは、トップ側ＣＭＤヤーン４２，３２，３４の上を通る一方でトップ側ＣＭＤヤーン４１，３１，３３，３５の下を通っている。従って、全体的に縫合ヤーン２１ａ，２１ｂは、トップ側ＣＭＤヤーンに対して「上１本／下１本」の全体通路に従う「複合」トップ側ＭＤヤーンを形成することになる。こうして形成されたこの「複合」トップ側ＭＤヤーンは、偶数番号が付されたトップ側ＣＭＤヤーンの上を通り、それにより織物１０のトップ側表面、即ち、製紙表面上にトップ側ＭＤヤーンで平織りパターンを形成することになる。
【００２５】
縫合ヤーンの各対は、２本のトップ側ＣＭＤヤーン分だけその近隣縫合ヤーン対からオフセットしている。これは図１を見ることにより分かり、図１において、縫合ヤーン２１ａ，２１ｂの双方が織物１０のトップ側層及びボトム側層の間を移行するときにトップ側ＣＭＤヤーン３５の下を通っている。図１で次に縫合ヤーン２２ａ，２２ｂに移ると、これらのヤーンは共に、トップ側層及びボトム側層の間を移行するときに、トップ側ＣＭＤヤーン３３（これは２本のトップ側ＣＭＤヤーン分だけトップ側ＣＭＤヤーン３５からオフセットしている）の下を通っている。
【００２６】
織物１０のボトム側層は図２に例示されている。このボトム側層は、対のボトム側ＭＤヤーン５１ａ，５１ｂ〜５３ａ，５３ｂと、不対のボトム側ＭＤヤーン６１〜６３と、縫合ヤーン２１ａ，２１ｂ〜２３ａ，２３ｂと、ボトム側ＣＭＤヤーン７１〜７６とを含んでいる。対応するトップ側ＭＤヤーンの直下に位置する対になったボトム側ＭＤヤーンは、「上２本／下１本」の順序でボトム側ＣＭＤヤーンと対として織り合わせられている。例えば、図２、図３Ｄ及び図３Ｆを参照すると、ボトム側ＭＤヤーン５１ａ，５１ｂは、ボトム側ＣＭＤヤーン７３，７４の上、ボトム側ＣＭＤヤーン７５の下、ボトム側ＣＭＤヤーン７６，７１の上、ボトム側ＣＭＤヤーン７２の下を通っている。また、各不対のボトム側ＭＤヤーンもボトム側ＣＭＤヤーンと織り合わせられるときに「上２本／下１本」の順序に従っている。例えば、不対のボトム側ＭＤヤーン６１は、ボトム側ＣＭＤヤーン７２，７３の上、ボトム側ＣＭＤヤーン７４の下、ボトム側ＣＭＤヤーン７５，７６の上、ボトム側ＣＭＤヤーン７１の下を通っている（図２及び図３Ｂ参照）。
【００２７】
対応するトップ側ＭＤヤーンの直下に位置する対になったボトム側ＭＤヤーンは、「上２本／下１本」の順序でボトム側ＣＭＤヤーンと対として織り合わせられている。例えば、図２、図３Ｄ及び図３Ｆを参照すると、ボトム側ＭＤヤーン５１ａ，５１ｂは、ボトム側ＣＭＤヤーン７３，７４の上、ボトム側ＣＭＤヤーン７５の下、ボトム側ＣＭＤヤーン７６，７１の上、ボトム側ＣＭＤヤーン７２の下を通っている。また、各不対のボトム側ＭＤヤーンもボトム側ＣＭＤヤーンと織り合わせられるときに「上２本／下１本」の順序に従っている。例えば、不対のボトム側ＭＤヤーン６１は、ボトム側ＣＭＤヤーン７１，７２の上、ボトム側ＣＭＤヤーン７３の下、ボトム側ＣＭＤヤーン７４，７５の上、ボトム側ＣＭＤヤーン７６の下を通っている（図２及び図３Ｂ参照）。
【００２８】
図２を参照すると、各対の縫合ヤーンは不対のボトム側ＭＤヤーンを挟んでおり（例えば、縫合ヤーン２１ａ，２１ｂはボトム側ＭＤヤーン６１を挟んでいる）、各縫合ヤーンは１本のボトム側ＣＭＤヤーンの下に１つの節部（knuckle)を形成している。ここで使用されている「節部」とは、他の複数のヤーンと織り合わせられる際に、単一の他のヤーンの上又は下を通る１本のヤーンの一部を指しており、これに対して「浮糸（float)」とは、複数の隣接するヤーンの上又は下を通る１本のヤーンの一部を指している。縫合ヤーンにより形成された各節部は、直接に隣り合う不対のボトム側ＭＤヤーンにより形成された節部と並んで位置しているので、各縫合ヤーン対及び不対のボトム側ＭＤヤーンは、対になったボトム側ＭＤヤーンの対になった節部に類似する複数対の節部を形成することになる。例えば、不対のボトム側ＭＤヤーン６１は、ボトム側ＣＭＤヤーン７１及び７４の下に節部を形成している（図３Ａ〜３Ｃ参照）。縫合ヤーン２１ｂはボトム側ＣＭＤヤーン７１の下に節部を形成し、縫合ヤーン２１ａは、ボトム側ＣＭＤヤーン７４の下に節部を形成している。対になったボトム側ＭＤヤーンの各対は、１本のボトム側ＣＭＤヤーン分だけその近隣の不対ボトム側ＭＤヤーンからオフセットしている。例えば、不対のボトム側ＭＤヤーン６１は、ボトム側ＣＭＤヤーン７１の下に節部を形成し、対になったボトム側ＭＤヤーン５１ａ，５１ｂはボトム側ＣＭＤヤーン７２の下に複数の節部を形成している。その結果、ボトム側表面の複数対の節部はその表面にダイヤゴナルを形成することになる。
【００２９】
本発明の実施形態による別の織物の繰返しユニットは、総括的に符号１１０で表され、図４〜図６Ｆに例示されている。この繰返しユニット１１０は、４本のトップ側ＭＤヤーン１１１〜１１４と、４対のＭＤ縫合ヤーン１２１ａ，１２１ｂ〜１２４ａ，１２４ｂと、１６本のトップ側ＣＭＤヤーン１３１〜１４６と、８本の対になったボトム側ＭＤヤーン１５１ａ，１５１ｂ〜１５４ａ，１５４ｂと、４本の不対のボトム側ＭＤヤーン１６１〜１６４と、８本のボトム側ＣＭＤヤーン１７１〜１７８とを含んでいる。これらヤーンの織り合わせについて以下に記載する。
【００３０】
図４及び図６Ｂから分かるように、トップ側ＭＤヤーン１１１〜１１４の各々は、「上１本／下１本」の順序でトップ側ＣＭＤヤーン１３１〜１４６と織り合わせられ、この順序において、トップ側ＭＤヤーン１１１〜１１４が奇数番号のトップ側ＣＭＤヤーン１３１，１３３，１３５，１３７，１３９，１４１，１４３，１４５の上を通ると共に、偶数番号が付されたトップ側ＣＭＤヤーン１３２，１３４，１３６，１３８，１４０，１４２，１４４，１４６の下を通っている。
【００３１】
図４から分かるように、各縫合ヤーン対１２１ａ，１２１ｂ〜１２４ａ，１２４ｂは、２本のトップ側ＭＤヤーンの間に位置している。上述した織物１０の縫合ヤーンと同様に、また、図４、図６Ｄ及び図６Ｆから分かるように、縫合ヤーン対１２１ａ〜１２４ｂの各々は、織物１１０のトップ側表面上に平織りパターンを完成するに際し、一緒になって単一ヤーンとして機能している。具体的には、縫合ヤーンの各々は偶数番号が付された４本のトップ側ＣＭＤヤーンの上を通るが、その場合、符号「ａ」で表された縫合ヤーンが偶数番号を付された１組４本のトップ側ＣＭＤヤーンの上を通り、符号「ｂ」で表された縫合ヤーンの各々が偶数番号を付された１組４本の残りのトップ側ＣＭＤヤーンの上を通る。例えば、縫合ヤーン１２１ａは、トップ側ＣＭＤヤーン１４２，１４４，１４６及び１３２の上を通る一方、トップ側ＣＭＤヤーン１４１，１４３，１４５，１３１及び１３３の下を通り、縫合ヤーン１２１ｂは、トップ側ＣＭＤヤーン１３４，１３６，１３８及び１４０の上を通る一方、トップ側ＣＭＤヤーン１３３，１３５，１３７，１３９及び１４１の下を通っている。縫合ヤーン１２１ａ，１２１ｂは一緒になって複合トップ側ＭＤヤーンを形成し、これはトップ側ＣＭＤヤーンと織り合わさりながら全体に「上１本／下１本」の通路に従うことになる。縫合ヤーンにより形成された複合トップ側ＭＤヤーンは偶数番号が付されたトップ側ＣＭＤヤーンの上を通り、それによりトップ側ＭＤヤーンが織物のトップ側即ち、製紙表面上にある平織りパターンを形成することになる。
【００３２】
縫合ヤーンの各対は、４本のトップ側ＣＭＤヤーン分だけその近隣縫合ヤーン対からオフセットしている。これは図４を調べることにより分かり、図４において、縫合ヤーン１２１ａ，１２１ｂの双方は、それらが織物１１０のトップ側層及びボトム側層の間を移行するときに、トップ側ＣＭＤヤーン１３３の下を通っている。図４で次に縫合ヤーン１２１ａ，１２１ｂに移ると、これらのヤーンは共に、トップ側層及びボトム側層の間を移行するときにトップ側ＣＭＤヤーン１３７（これは４本のトップ側ＣＭＤヤーン分だけトップ側ＣＭＤヤーン１３３からオフセットしている）の下を通っている。
【００３３】
織物１１０のボトム側層は、図５に例示されている。このボトム側層は、対になったボトム側ＭＤヤーン１５１ａ，１５１ｂ〜１５４ａ，１５４ｂと、不対のボトム側ＭＤヤーン１６１〜１６４と、縫合ヤーン対１２１ａ，１２１ｂ〜１２４ａ，１２４ｂと、ボトム側ＣＭＤヤーン１７１〜１７８とを含んでいる。対応するトップ側ＭＤヤーンの直下に位置する対になったボトム側ＭＤヤーンは、「上３本／下１本」の順序でボトム側ＣＭＤヤーンと対として織り合わせられている。例えば、図５、図６Ａ及び図６Ｃを参照すると、ボトム側ＭＤヤーン１５１ａ，１５１ｂは、ボトム側ＣＭＤヤーン１７３，１７４，１７５の上、ボトム側ＣＭＤヤーン１７６の下、ボトム側ＣＭＤヤーン１７７，１７８，１７１の上、ボトム側ＣＭＤヤーン１７２の下を通っている。また、各不対のボトム側ＭＤヤーンもボトム側ＣＭＤヤーンと織り合わせられるときに「上３本／下１本」の順序に従っている。例えば、不対のボトム側ＭＤヤーン１６１は、ボトム側ＣＭＤヤーン１７８，１７１，１７２の上、ボトム側ＣＭＤヤーン１７３の下、ボトム側ＣＭＤヤーン１７４，１７５，１７６の上、ボトム側ＣＭＤヤーン１７７の下を通っている（図５及び図６Ｅ参照）。
【００３４】
再び図５を参照すると、各対の縫合ヤーンは不対のボトム側ＭＤヤーンを挟んでいる（例えば、縫合ヤーン１２１ａ，１２１ｂはボトム側ＭＤヤーン１６１を挟んでいる）。各縫合ヤーンは、直ぐ近くの不対のボトム側ＭＤヤーンにより形成された節部と並んでボトム側ＣＭＤヤーンの下に１つの節部を形成しているので、各縫合ヤーン対と不対のボトム側ＭＤヤーンは、対になったボトム側ＭＤヤーンの対になった節部に類似する複数対の節部を形成することになる。例えば、不対のボトム側ＭＤヤーン１６１は、ボトム側ＣＭＤヤーン１７３及び１７７の下に節部を形成している（図６Ｅ参照）。縫合ヤーン１２１ａはボトム側ＣＭＤヤーン１７３の下に節部を形成し、縫合ヤーン１２１ｂはボトム側ＣＭＤヤーン１７７の下に節部を形成している（図６Ｄ及び図６Ｆ参照）。対になったボトム側ＭＤヤーンの各対は、１本のボトム側ＣＭＤヤーン分だけその近隣の不対のボトム側ＭＤヤーンからオフセットしている。例えば、不対のボトム側ＭＤヤーン１６１はボトム側ＣＭＤヤーン１７３の下に節部を形成し、対になったボトム側ＭＤヤーン１５１ａ，１５１ｂはボトム側ＣＭＤヤーン１７２の下に複数の節部を形成している。その結果、ボトム側表面の複数対の節部は、その表面にダイヤゴナルを形成することになる。
【００３５】
例示した実施形態において、対になった「ａ」のボトム側ＭＤヤーンは、対になった「ｂ」のボトム側ＭＤヤーンよりも直径が小さいことが分かる。特定の実施形態において、縫合ヤーンの直径に適合する「ａ」のヤーンについては、（ａ）対になったボトム側ＭＤヤーンの対になった節部及び（ｂ）不対のボトム側ＭＤヤーン及び縫合ヤーンの対の節部は同じ大きさであるのが望ましいかも知れない。当業者は、他の実施形態において（例えば図１〜図３Ｆ及び図７〜図９Ｆの実施形態）、対になった「ａ」及び「ｂ」のボトム側ＭＤヤーンは同じ直径のものでもよいことが分かるであろう。
【００３６】
本発明の実施形態による更なる織物の繰返しユニットは、総括的に符号２１０で表され、図７〜図９Ｆに例示されている。この繰返しユニット２１０は、５本のトップ側ＭＤヤーン２１１〜２１５と、５対のＭＤ縫合ヤーン２２１ａ，２２１ｂ〜２２５ａ，２２５ｂと、２０本のトップ側ＣＭＤヤーン２３１〜２５０と、１０本の対になったボトム側ＭＤヤーン２５１ａ，２５１ｂ〜２５５ａ，２５５ｂと、５本の不対のボトム側ＭＤヤーン２６１〜２６５と、１０本のボトム側ＣＭＤヤーン２７１〜２８０とを含んでいる。これらヤーンの織り合わせについて以下に記載する。
【００３７】
図７及び図９Ｂから分かるように、トップ側ＭＤヤーン２１１〜２１５の各々は、「上１本／下１本」の順序でトップ側ＣＭＤヤーン２３１〜２５０と織り合わせられ、この順序において、トップ側ＭＤヤーン２１１〜２１５が奇数番号のトップ側ＣＭＤヤーン２３１，２３３，２３５，２３７，２３９，２４１，２４３，２４５，２４７，２４９の上を通ると共に、偶数番号が付されたトップ側ＣＭＤヤーン２３２，２３４，２３６，２３８，２４０，２４２，２４４，２４６，２４８，２５０の下を通っている。
【００３８】
図７から分かるように、各縫合ヤーン対２２１ａ，２２１ｂ〜２２５ａ，２２５ｂは、２本のトップ側ＭＤヤーンの間に位置している。上述した織物１０及び１１０の縫合ヤーンと同様に、また、図７、図９Ｄ及び図９Ｆから分かるように、縫合ヤーン対２２１ａ〜２２５ｂの各々は、織物２１０のトップ側表面上に平織りパターンを完成するに際し、一緒になって単一ヤーンとして機能している。具体的には、縫合ヤーンの各々は偶数番号が付された５本のトップ側ＣＭＤヤーンの上を通るが、その場合、符号「ａ」で表された縫合ヤーンは、偶数番号が付された１組５本のトップ側ＣＭＤヤーンの上を通り、符号「ｂ」で表された縫合ヤーンの各々は、偶数番号が付された１組５本の残りのトップ側ＣＭＤヤーンの上を通っている。例えば、縫合ヤーン２２１ａは、トップ側ＣＭＤヤーン２５０，２３２，２３４，２３６及び２３８の上を通る一方、トップ側ＣＭＤヤーン２４９，２３１，２３３，２３５，２３７及び２３９の下を通り、縫合ヤーン２２１ｂは、トップ側ＣＭＤヤーン２４０，２４２，２４４，２４６及び２４８の上を通る一方、トップ側ＣＭＤヤーン２３９，２４１，２４３，２４５，２４７及び２４９の下を通っている。縫合ヤーン２２１ａ，２２１ｂは一緒になって複合トップ側ＭＤヤーンを形成し、これはトップ側ＣＭＤヤーンと織り合わさりながら全体に「上１本／下１本」の通路に従っている。縫合ヤーンにより形成された複合トップ側ＭＤヤーンは、偶数番号が付されたトップ側ＣＭＤヤーンの上を通り、それによりトップ側ＭＤヤーンが織物２１０のトップ側表面、即ち、製紙表面上にある平織りパターンを形成することになる。
【００３９】
縫合ヤーンの各対は、２本のトップ側ＣＭＤヤーン分だけその近隣縫合ヤーン対からオフセットしている。これは図７を調べることにより分かり、図７において、縫合ヤーン２２１ａ，２２１ｂの双方は、それらが織物２１０のトップ側層及びボトム側層の間を移行するときに、トップ側ＣＭＤヤーン２３９の下を通っている。図７で次に縫合ヤーン２２２ａ，２２２ｂに移ると、これらのヤーンは共に、それらがトップ側層及びボトム側層の間を移行するときにトップ側ＣＭＤヤーン２４１（これは２本のトップ側ＣＭＤヤーン分だけトップ側ＣＭＤヤーン２３９からオフセットしている）の下を通っている。
【００４０】
繰返しユニット２１０のボトム側層は図８に例示されている。このボトム側層は、対になったボトム側ＭＤヤーン２５１ａ，２５１ｂ〜２５５ａ，２５５ｂと、不対のボトム側ＭＤヤーン２６１〜２６５と、縫合ヤーン対２２１ａ，２２１ｂ〜２２５ａ，２２５ｂと、ボトム側ＣＭＤヤーン２７１〜２８０とを含んでいる。対応するトップ側ＭＤヤーンの直下に位置する対になったボトム側ＭＤヤーンは、「上４本／下１本」の順序でボトム側ＣＭＤヤーンと対として織り合わせられている。例えば、図７、図９Ａ及び図９Ｃを参照すると、対になったボトム側ＭＤヤーン２５１ａ，２５１ｂは、ボトム側ＣＭＤヤーン２７１〜２７４の上、ボトム側ＣＭＤヤーン２７５の下、ボトム側ＣＭＤヤーン２７６〜２７９の上、ボトム側ＣＭＤヤーン２８０の下を通っている。また、各不対のボトム側ＭＤヤーンもボトム側ＣＭＤヤーンと織り合わせられるときに「上４本／下１本」の順序に従っている。例えば、不対のボトム側ＭＤヤーン２６１は、ボトム側ＣＭＤヤーン２７１，２７２の上、ボトム側ＣＭＤヤーン２７３の下、ボトム側ＣＭＤヤーン２７４〜２７７の上、ボトム側ＣＭＤヤーン２７８の下、ボトム側ＣＭＤヤーン２７９，２８０の上を通っている（図８及び図９Ｅ参照）。
【００４１】
再び図８を参照すると、各対の縫合ヤーンは不対のボトム側ＭＤヤーンを挟んでいる（例えば、縫合ヤーン２２１ａ，２２１ｂはボトム側ＭＤヤーン２６１を挟んでいる）。各縫合ヤーンは、直ぐ近くの不対のボトム側ＭＤヤーンにより形成された節部と並んでボトム側ＣＭＤヤーンの下に１つの節部を形成しているので、各縫合ヤーン対と不対のボトム側ＭＤヤーンは、対になったボトム側ＭＤヤーンの対になった節部に類似する複数対の節部を形成することになる。例えば、不対のボトム側ＭＤヤーン２６１は、ボトム側ＣＭＤヤーン２７３及び２７８の下に節部を形成している（図９Ｅ参照）。縫合ヤーン２２１ｂはボトム側ＣＭＤヤーン２７３の下に節部を形成し、縫合ヤーン２２１ａはボトム側ＣＭＤヤーン２７８の下に節部を形成している（図９Ｄ及び図９Ｆ参照）。
【００４２】
対になったボトム側ＭＤヤーンの各対は、１本のボトム側ＣＭＤヤーン分だけその近隣の不対のボトム側ＭＤヤーンからオフセットしている。例えば、対になったボトム側ＭＤヤーン２５１ａ，２５１ｂはボトム側ＣＭＤヤーン２７５の下を通り、対になったボトム側ＭＤヤーン２５２ａ，２５２ｂはボトム側ＣＭＤヤーン２７６の下を通り、これは１本のボトム側ＣＭＤヤーン分だけボトム側ＣＭＤヤーン２７６からオフセットしている。また、各不対のボトム側ＭＤヤーンも１本のボトム側ＣＭＤヤーン分だけその近隣の不対のボトム側ＭＤヤーンからオフセットしている。例えば、不対のボトム側ＭＤヤーン２６１は、ボトム側ＣＭＤヤーン２７３の下に節部を形成し、不対のボトム側ＣＭＤヤーン２６２は、１本のボトム側ＣＭＤヤーン分だけボトム側ＣＭＤヤーン２７３からオフセットしたボトム側ＣＭＤヤーン２７４の下に節部を形成している。その結果、ボトム側表面上に対になったボトム側ＭＤヤーンにより形成された複数対の節部がそこに１つのダイヤゴナルを形成し、不対のボトム側ＭＤヤーン及び縫合ヤーンにより形成された複数対の節部がボトム側表面上に第２のダイヤゴナルを形成することになる。
【００４３】
図１０から分かるように、対になったボトム側ＭＤヤーン２５１ａ，２５１ｂ〜２５５ａ，２５５ｂは、ボトム側ＣＭＤヤーン２７１〜２８０と一緒に織り合わせられている。このような状況であり、特定の実施形態において、対になったボトム側ＭＤヤーンは、平らな横断面の単一ボトム側ＭＤヤーンに代えることが可能である。この代案は図１１に示されており、図１１において、繰返しユニット２１０の対になったボトム側ＭＤヤーン２５１ａ，２５１ｂ〜２５５ａ，２５５ｂは、織物３００においてボトム側ＭＤヤーン３５１〜３５５に代えられている。織物３００の織成パターンは、平坦にされたボトム側ＭＤヤーン３５１〜３５５が複数対のボトム側ＭＤヤーン２５１ａ，２５１ｂ〜２５５ａ，２５５ｂの通路に従うことを除いて、繰返しユニット２１０のそれと同じとすることができる（具体例としてのボトム側ＣＭＤヤーン３７１も参照のこと）。対になったボトム側ＭＤヤーンのための平坦なヤーンの同様の代案は、ここに記載した他の織物の実施形態において実施してもよい。代表的には、平らなヤーンは、それに代えられるボトム側ＭＤヤーンの高さと同様の高さを有すると共に、それに代えられるボトム側ＭＤヤーンの幅と同様の幅を有することになる。
【００４４】
本発明の織物で使用されるヤーンの形態は、製紙業者の最終織物の所望特性に応じて変更してもよい。例えば、ヤーンは、モノフィラメント糸，上述したように平坦なモノフィラメント糸，マルチフィラメント糸、撚りマルチフィラメント又はモノフィラメント糸，紡出糸，或いはそれらの任意の組合せでもよい。また、本発明の織物において使用されるヤーンを構成する材料は、製紙業者の織物において普通に用いられているものでよい。例えば、ヤーンは、ポリエステル、ポリアミド（ナイロン）、ポリプロピレン、アラミド等で形成されてもよい。熟練した技術者は、最終織物の特定用途に従ってヤーン材料を選択すべきである。特に、ポリエステル又はポリアミドから形成された丸いモノフィラメント糸が好適である。
【００４５】
上述したもののような織物は、従来の同様の織物と比較して縫目強さの向上を実際に示すことができ、これは織物を接合するためにより少ない端部の使用を可能にするものである。また、織物の開口面積及び／又は透過率の増大を実現することができる。
【００４６】
本発明の別の形態によると、紙を製造する方法が提供されている。これらの方法に従って、ここに記載した代表的な製紙業者用地合構成織物の１つが提供されており、紙は、この地合構成織物に紙原料を供給すると共に、次にこの紙原料から水分を除去することにより製造されている。地合構成織物に紙原料をどのようにして供給するか、そしてこの紙原料から水分をどのようにして除去するについての詳細は当業者の良く理解するところであるから、本発明のこの点に関する更なる記載はここでは行なう必要がないであろう。
【００４７】
上述した実施形態は、本発明を例証するものであって、本発明を限定する意味にとられるべきではない。本発明の例示的な実施形態について説明してきたが、当業者には明らかであるように、これら例示的な実施形態は、本発明の新規な教示及び利点から大きく逸脱することなく、種々に改変され得るものである。従って、このような改変の全ては、特許請求の範囲に規定された本発明の範囲内に含まれると考えられる。本発明は、添付の特許請求の範囲によって規定されており、同特許請求の範囲と同等のことはその特許請求の範囲に含まれるべきである。
【図面の簡単な説明】
【００４８】
【図１】本発明の実施形態に基づく地合構成織物の繰返しユニットを示す上面図である。
【図２】図１の織物の繰返しユニットを示す底面図である。
【図３】３Ａ〜３Ｆは、図１及び図２の織物の例示的なマシン方向ヤーンを示す諸断面図である。
【図４】本発明の別の実施形態に基づく地合構成織物の繰返しユニットを示す上面図である。
【図５】図４の織物の繰返しユニットを示す底面図である。
【図６】６Ａ〜６Ｆは、図４及び図５の織物の例示的なマシン方向ヤーンを示す諸断面図である。
【図７】本発明の更なる実施形態に基づく地合構成織物の繰返しユニットを示す上面図である。
【図８】図７の織物の繰返しユニットを示す底面図である。
【図９】９Ａ〜９Ｆは、図７及び図８の織物の例示的なマシン方向ヤーンを示す諸断面図である。
【図１０】図７及び図８の織物の例示的なトップ側ＣＭＤヤーンを示す断面図である。
【図１１】横断面が平坦にされたボトム側ＭＤヤーンを採用した代替実施形態の例示的なトップ側ＣＭＤヤーンを示す断面図である。
【符号の説明】
【００４９】
１０                                    織物
１１〜１３                              トップ側ＭＤヤーン
２１ａ，２１ｂ〜２３ａ，２３ｂ          ＭＤ縫合ヤーン
３１〜４２                              トップ側ＣＭＤヤーン
５１ａ，５１ｂ〜５３ａ，５３ｂ          対になったボトム側ＭＤヤーン
６１〜６３                              不対のボトム側ＭＤヤーン
７１〜７６                              ボトム側ＣＭＤヤーン
１１０                                  繰返しユニット
１１１〜１１４                          トップ側ＭＤヤーン
１２１ａ，１２１ｂ〜１２４ａ，１２４ｂ  ＭＤ縫合ヤーン
１３１〜１４６                          トップ側ＣＭＤヤーン
１５１ａ，１５１ｂ〜１５３ａ，１５４ｂ  対になったボトム側ＭＤヤーン
１６１〜１６４                          不対のボトム側ＭＤヤーン
１７１〜１７８                          ボトム側ＣＭＤヤーン
２１０                                  繰返しユニット
２１１〜２１５                          トップ側ＭＤヤーン
２２１ａ，２２１ｂ〜２２５ａ，２２５ｂ  ＭＤ縫合ヤーン
２３１〜２５０                          トップ側ＣＭＤヤーン
２５１ａ，２５１ｂ〜２５５ａ，２５５ｂ  対になったボトム側ＭＤヤーン
２６１〜２６５                          不対のボトム側ＭＤヤーン
２７１〜２８０                          ボトム側ＣＭＤヤーン
３００                                  織物
３５１〜３５５                          平坦にされたボトム側ＭＤヤーン
３７１                                  ボトム側ＣＭＤヤーン
【図１】
2007092268.tif 000003
【図２】
2007092268.tif 000004
【図３】
2007092268.tif 000005
【図４】
2007092268.tif 000006
【図５】
2007092268.tif 000007
【図６】
2007092268.tif 000008
【図７】
2007092268.tif 000009
【図８】
2007092268.tif 000010
【図９】
2007092268.tif 000011
【図１０】
2007092268.tif 000012
【図１１】
2007092268.tif 000013
【外国語明細書】
2007092268.tif 000014
2007092268.tif 000015
2007092268.tif 000016
2007092268.tif 000017
2007092268.tif 000018
2007092268.tif 000019
2007092268.tif 000020
2007092268.tif 000021
2007092268.tif 000022
2007092268.tif 000023
2007092268.tif 000024
2007092268.tif 000025
2007092268.tif 000026
2007092268.tif 000027
2007092268.tif 000028
2007092268.tif 000029
2007092268.tif 000030
2007092268.tif 000031
2007092268.tif 000032
2007092268.tif 000033
2007092268.tif 000034
2007092268.tif 000035
2007092268.tif 000036
2007092268.tif 000037
2007092268.tif 000038
2007092268.tif 000039
2007092268.tif 000040
2007092268.tif 000041
2007092268.tif 000042
2007092268.tif 000043